(57)【要約】【課題】建設作業に対する天候の影響を少なくする防護シート付据付け設備を提供する。【解決手段】本発明に係る防護シート付据付け設備１は、複数本の支柱１３が間隔を置いて立設された場所において、支柱１３の上方から吊り架台７を昇降自在に吊り込み、吊り架台７にチェンブロック機構１４を介して吊られた架台梁９ａと、架台梁９ａに設置され、支柱１３の頂部に仮置きする設置台２とを備え、架台梁９ａには防護シート４を巻取り自在に巻き取る巻取り手段３が設けられ、被対象物１０を防護シート４で覆うようにしたことを特徴とする。【選択図】  図１
2008291432.tif 000002
【特許請求の範囲】
【請求項１】
複数本の支柱が間隔を置いて立設された場所において、
前記支柱の上方から吊り架台を昇降自在に吊り込み、前記吊り架台にチェンブロック機構を介して吊られたユニット架台と、
前記ユニット架台を収納可能に設置する組付け架台と、
前記組付け架台に着脱自在に設置され、前記支柱の頂部に仮置きする設置台と、
を備え、
前記組付け架台には防護シートを吊り降ろし自在に巻き取る巻取り手段が設けられ、前期ユニット架台に設けられる被対象物を防護シートで覆うようにしたことを特徴とする防護シート付据付け設備。
【請求項２】
前記組付け架台は、被対象物を設置したユニット架台を収納可能な収納スペースを有し、
前期ユニット架台とともに、前記組付け架台が仮置き設置されることを特徴とする請求項１に記載した防護シート付据付け設備。
【請求項３】
前記組付け架台は、天井部に防護シート付き部分養生屋根が上方から覆うように設置されることを特徴とする請求項１または請求項２に記載した防護シート付据付け設備。
【請求項４】
前記組付け架台は、各架台柱の上部にＵ字溝またはボルト穴が形成される一方、このＵ字溝またはボルト穴に位置合わせされるボルト穴またはＵ字溝が架台梁に形成され、前記架台柱と前記架台梁のＵ字溝またはボルト穴をボルト締めして結合され、ボックス状の枠組立構造を構成することを特徴とする請求項１乃至請求項３のいずれか１項に記載した防護シート付据付け設備。
【請求項５】
前記防護シートの先端部に設けられた棒状おもりと、
をさらに備えたことを特徴とする請求項１乃至請求項４のいずれか１項に記載した防護シート付据付け設備。
【請求項６】
建家の建設工法において、
風上側の防風壁を先に建設するステップと、
建物の最下層階から順次上層階を立ち上げるステップと、
建物の上部が開放された状態で復水器等の大型機器を仮置きするステップと、
建物の最上階に内部建物よりも先に建家天井を設けるステップと、
を備えることを特徴とする防風雨用建設工法。
【請求項７】
前記風上側の防風壁は、建物の外壁の一部を形成することを特徴とする請求項６に記載した防風雨用建設工法。
【発明の詳細な説明】
【技術分野】
【０００１】
本発明は、防護シート付据付け設備および防風雨用建設工法に関する。
【背景技術】
【０００２】
図９は、従来の建設工法において、躯体構造物に大型機器を搬入し、据え付ける際の設備を示す図である。大型機器等の大ブロックの据付けを基本としたユニット工法においては、被対象物を吊り架台を介してクレーンで吊り、搬入後に大型機器等の雨避け養生を行っている。
【０００３】
図１０は、原子力発電所におけるタービン建家の復水器エリア及び高圧タービン下エリアの建設工法の工程を示す図である。建設順序は、初めに最地下階１０１を建設し、次に地下２階１０２、地下１階１０３、地上１階１０４の順番で順次組立て最後に建家天井１００を張るのが従来の建設工法である。
【特許文献１】特開２００２−３４８９５１号公報
【特許文献２】特開平９−２８７３１４号公報
【発明の開示】
【発明が解決しようとする課題】
【０００４】
従来の建設工法では、建設期間中において建家天井のない状態が長く続き、大型機器の搬入時は、風雨の影響を受け、特に、冬季における季節風等の影響を受けることがあった（例えば特許文献１および２参照）。
【０００５】
このため、天候回復を待つ待ち時間等、冬季の作業効率が悪くなり作業工程の間延びや作業工程数が増え、大型機器の搬入の工程に大きな影響を与えていた。
【０００６】
本発明は、上記事情に鑑みてなされたものであり、建設作業に対する天候の影響を少なくすることができる防護シート付据付け設備および防風雨用建設工法を提供することを目的とする。
【課題を解決するための手段】
【０００７】
上述した課題を解決するために、本発明に係る防護シート付据付け設備は、複数本の支柱が間隔を置いて立設された場所において、前記支柱の上方から吊り架台を昇降自在に吊り込み、前記吊り架台にチェンブロック機構を介して吊られたユニット架台と、前記ユニット架台を収納可能に設置する組付け架台と、前記組付け架台に着脱自在に設置され、前記支柱の頂部に仮置きする設置台と、を備え、前記組付け架台には防護シートを吊り降ろし自在に巻き取る巻取り手段が設けられ、前期ユニット架台に設けられる被対象物を防護シートで覆うようにしたことを特徴とする。
【０００８】
また、上述した課題を解決するために、本発明に係る防風雨用建設工法は、建家の建設工法において、風上側の防風壁を先に建設するステップと、建物の最下層階から順次上層階を立ち上げるステップと、建物の上部が開放された状態で復水器等の大型機器を仮置きするステップと、建物の最上階に内部建物よりも先に建家天井を設けるステップと、
を備えることを特徴とする。
【発明の効果】
【０００９】
本発明によれば、建設作業に対する天候の影響を少なくして建設工程数の間延びを防止し、建設作業を効率的に行うことができる。
【発明を実施するための最良の形態】
【００１０】
本発明に係る防護シート付据付け設備および防風雨用建設工法の実施形態について、添付図面を参照して説明する。
【００１１】
（１）防護シート付据付け設備について
［第１実施形態］
図１は、本発明に係る防護シート付据付け設備の第１実施形態における構成例の正面図である。この図において、本発明に係る防護シート付据付け設備は、例えば、左右対称構造を成し、同一の形状、同一の働きをする部材には、同一の符号を付し、説明は省略する。
【００１２】
本発明に係る防護シート付据付け設備１は、上方からクレーンにより吊りフック５、ワイヤー６、吊り架台上方に設けられた吊りピース８ａ、吊り架台７を介して吊設される。また、防護シート付据付け設備１は、被対象物である複数の配管１１をユニット架台１２で固定し配管ユニット１０とし、吊り架台７からチェンブロック機構１４を介して吊り下げる。
【００１３】
防護シート付据付け設備１における組付け架台９は、架台梁９ａと架台柱９ｂとから構成され、吊り架台下方に設けられた吊りピース８ｂを介して吊り架台７に固定される。さらに、組付け架台９の架台柱９ｂの上方には、巻取り手段３が設けられ、この巻取り手段３から防護シート４が棒状おもり１５の自重により繰り下げられて配管ユニット１０を雨、雪等から保護する。
【００１４】
防護シート付据付け設備１における架台梁９ａに着脱自在に設けられた設置台２は、吊りフック５からワイヤー６、吊りピース８および吊り架台７を介して吊り下げられた配管ユニット１０を、建設現場に立設された柱鉄骨等の支柱１３の間に仮置きするための設備である。
【００１５】
図２は、本発明に係る防護シート付据付け設備の第１実施形態における構成例の平面図である。この図において、本発明に係る防護シート付据付け設備は左右対称構造を成し、同一の形状、同一の働きをする部材には、同一の符号を付し、説明は省略する。
【００１６】
本発明に係る防護シート付据付け設備１における巻取り手段３は、四方に設けられ、図示しない駆動手段により防護シートを巻出し自在に巻き出すことができる。この駆動手段には、図示しないコントローラによって制御される可逆モータや手動ハンドルを用いることができる。
【００１７】
図３は、図１における設置台２付近を拡大した図である。把持機構６０は、設置台２に固定された固定ブロック６２および取付けナット６３とを有する。位置固定ボルト６４を締めることにより進退自在にスライドするスライダ６１をスライドさせ、スライダ６１と固定ブロック６２で柱鉄骨等の支柱１３（図１参照）を把持する。
【００１８】
本実施形態により、例えばＳＣ工法の特徴である柱鉄骨がむき出しの建設現場において、被対象物である配管ユニット１０を雨風等から防護しながら搬入し、仮置きすることができるので、搬入作業が天候に左右されることが少なくなる。また、雨避け養生を搬入前に行うことができ、建設工期の短縮、作業環境の改善、品質の向上が期待できる。
【００１９】
［第２実施形態］
図４は、本発明に係る防護シート付据付け設備の第２実施形態の説明図である。この図において、本発明に係る防護シート付据付け設備は左右対称構造を成し、同一の形状、同一の働きをする部材には、同一の符号を付し、説明は省略する。
【００２０】
本発明に係る防護シート付据付け設備１は、設置台２を取り外し、架台柱９ｂの下端が建家の床面に接地するまで、配管ユニット１０を吊り下げる。
【００２１】
これにより、配管ユニット１０を雨風等から防護しながら、建設中の建家に天井が張られるまで仮置きすることができる。なお、設置台２は、取り外すことの他、折りたたんで収納することとしても良い。
【００２２】
［第３実施形態］
図５および図６を用いて、本発明に係る防護シート付据付け設備の第３実施形態における架台梁９ａと架台柱９ｂとの係合関係を説明する。
【００２３】
図５は、架台梁９ａおよび架台柱９ｂの側面図である。架台梁９ａは、ボルト穴２３を備え、架台柱９ｂは、Ｕ字状の溝を形成するＵ字状溝２４を備える。
【００２４】
図６は、架台梁９ａと架台柱９ｂとの係合関係を示す斜視図である。架台梁９ａのボルト穴２３にボルト２１を挿通し、架台柱９ｂを側方からＵ字状溝２４のガイド部２５を介して係合させる。最後にナット２２で固定する。架台柱９ｂを取り外すときは、ナット２２を緩め、架台柱９ｂを側方へずらして取り外す。
【００２５】
これにより、本発明に係る防護シート付据付け設備の第２実施形態における配管ユニット１０を床面に仮置きした状態から架台柱９ｂの取り外しが容易になる。
【００２６】
（２）防風雨用建設工法について
図７のフローチャートを用いて、図８の本発明に係る防風雨用建設工法の実施形態について説明する。
【００２７】
図８は、本発明に係る防風雨用建設工法の適用例として、原子力発電所におけるタービン建家の復水器エリア及び高圧タービン下エリアの建設の工程を示す図である。
【００２８】
ステップＳ１において、最地下階３１を建設する。
【００２９】
ステップＳ２において、風上側の地下２階３２の床工事を行い、地下２階３２の風上側の防風壁４１の工事を行う。なお、防風壁とは、防風のみを目的とする壁ではなく、建物の外壁を構成する壁を意味する。以下、同様である。
【００３０】
ステップＳ３において、風上側の地下１階３３の床工事を行い、地下１階３１の風上側の防風壁４３の工事を行う。
【００３１】
ステップＳ４において、風上側の地上１階３４の床工事を行い、地上１階３４の風上側の防風壁４５の工事を行う。
【００３２】
ステップＳ５において、天井建設に必要な地上１階の壁４６の工事を行う。
【００３３】
ステップＳ６において、天井４７を建設する。このとき、防風壁の役割を担っていた壁は、建物の外壁の一部を構成する。
【００３４】
本実施形態により、風上側の外壁を内部建物に先行して建設し天井を早く建設することで、季節風等の方向が予め予測可能な風の建設作業に対する影響を軽減することができる。
【図面の簡単な説明】
【００３５】
【図１】本発明に係る防護シート付据付け設備の第１実施形態における構成例の正面図。
【図２】本発明に係る防護シート付据付け設備の第１実施形態における構成例の平面図。
【図３】図１における設置台付近を拡大した図。
【図４】本発明に係る防護シート付据付け設備の第２実施形態の説明図。
【図５】架台梁および架台柱の側面図。
【図６】架台梁と架台柱との係合関係を示す斜視図。
【図７】本発明に係る防風雨用建設工法による建設工程を示すフローチャート。
【図８】本発明に係る防風雨用建設工法による建設工程を示す断面図。
【図９】従来の建設工法における、大型機器を搬入し据え付ける際の設備を示す図。
【図１０】従来の建設工法による建設工程を示す断面図。
【符号の説明】
【００３６】
１  防護シート付据付け設備
２  設置台
３  巻取り手段
４  防護シート
５  吊りフック
６  ワイヤー
７  吊り架台
８ａ，８ｂ  吊りピース
９  組付け架台
９ａ  架台梁
９ｂ  架台柱
１０  配管ユニット
１１  配管
１２  ユニット架台
１３  支柱
１４  チェンブロック機構
１５  シートおもり
２１  ボルト
２２  ナット
２３  ボルト穴
２４  Ｕ字状溝
２５  ガイド部
３１  最地下階
３２  地下２階
３３  地下１階
３４  地上１階
４１  地下２階の風上側の防風壁
４２  地下１階の床
４３  地下１階の風上側の防風壁
４４  地上１階の床
４５  地上１階の風上側の防風壁
４６  天井建設に必要な壁
４７  天井
５１  復水器
５２  主タービン
５３  発電機
６０  把持機構
６１  スライダ
６２  固定ブロック
６３  取付けナット
６４  位置固定ボルト
１００  天井
１０１  最地下階
１０２  地下２階
１０３  地下１階
１０４  地上１階
【図１】
2008291432.tif 000003
【図２】
2008291432.tif 000004
【図３】
2008291432.tif 000005
【図４】
2008291432.tif 000006
【図５】
2008291432.tif 000007
【図６】
2008291432.tif 000008
【図７】
2008291432.tif 000009
【図８】
2008291432.tif 000010
【図９】
2008291432.tif 000011
【図１０】
2008291432.tif 000012